(57)【特許請求の範囲】
【請求項１】
ユーザ機器（ＵＥ）におけるワイヤレス通信のための方法であって、
ワイヤレスデバイスからロバストなヘッダ圧縮（ＲｏＨＣ）初期化およびリフレッシュ（ＩＲ）パケットを受信すること、
前記ＩＲパケットのサイズに基づいて、前記ＵＥのラジオリンクコントロール（ＲＬＣ）レイヤにおいて前記ＩＲパケットを識別すること、および
前記ＩＲパケットの前記識別に応答して、ハイパーフレーム番号オフセットを使用して前記ＩＲパケットを解読すること、
前記解読されたＩＲパケットのサイクリック・リダンダンシー・チェック値に基づいて前記ＩＲパケットを正確に解読することの失敗を検出すること、
前記検出された失敗に基づいて、前記ハイパーフレーム番号オフセットの値をインクリメントまたはデクリメントすること、
前記インクリメントまたはデクリメントされたハイパーフレーム番号オフセット値を使用して前記ＩＲパケットを解読すること
を備える、方法。
【請求項２】
前記サイズに基づいて前記ＩＲパケットを識別することは、
前記受信されたＩＲパケットが、圧縮されたＲｏＨＣパケットよりも大きい暗号化されたプロトコルデータユニットサイズを備えることを決定すること
を備える、請求項１に記載の方法。
【請求項３】
前記解読されたＩＲパケットのサイクリック・リダンダンシー・チェック値に基づいて前記ＩＲパケットが正確に解読されていることを決定すること
をさらに備える、請求項１に記載の方法。
【請求項４】
前記検出された失敗に基づいて、ラジオリンクの失敗をトリガすること
をさらに備える、請求項１に記載の方法。
【請求項５】
前記ハイパーフレーム番号オフセットを使用して前記ＩＲパケットを解読することにおける成功に基づいて、前記ＵＥを前記ワイヤレスデバイスと同期すること
をさらに備える、請求項１に記載の方法。
【請求項６】
ワイヤレスデバイスに連続する失敗の表示を送信すること
をさらに備える、請求項１に記載の方法。
【請求項７】
ワイヤレスデバイスに送信される前記表示は、否定応答メッセージを備える、請求項６に記載の方法。
【請求項８】
ユーザ機器（ＵＥ）におけるワイヤレス通信のための装置であって、
請求項１〜請求項７のいずれかの方法を行うための手段を備える、装置。
【請求項９】
下記を備える請求項８に記載の装置、
プロセッサ、
前記プロセッサと電子通信状態にあるメモリ、および
前記メモリに記憶された命令、
ここにおいて、前記命令は、前記プロセッサによって、
ワイヤレスデバイスからロバストなヘッダ圧縮（ＲｏＨＣ）初期化およびリフレッシュ（ＩＲ）パケットを受信すること、
前記ＩＲパケットのサイズに基づいて、前記ＵＥのラジオリンクコントロール（ＲＬＣ）レイヤにおいて前記ＩＲパケットを識別すること、および
前記ＩＲパケットの前記識別に応答して、ハイパーフレーム番号オフセットを使用して前記ＩＲパケットを解読すること、を実行可能である。
【請求項１０】
ユーザ機器（ＵＥ）におけるワイヤレス通信のためのコードを記憶する非一時的コンピュータ読み取り可能記録媒体であって、前記コードは、
請求項１〜請求項７のいずれかの方法を行うことを実行可能である命令を備える、非一時的コンピュータ読み取り可能記録媒体。
【発明の詳細な説明】
【関連出願の相互参照】
【０００１】
[0001]  本特許出願は、「Methods and Apparatus for Synchronizing a User Equipment with an HFN Offset」と題され、２０１４年１１月１９日付で出願され、およびこの譲受人に譲渡された、Bressanelli他による米国特許出願第１４／５４７，３２５号への優先権を主張する。
【背景技術】
【０００２】
[0002]  下記は、一般に、ワイヤレス通信に関連し、より具体的には、ＨＦＮオフセットを用いてユーザ機器（ＵＥ）を同期するための方法および装置に関連する。
【０００３】
[0003]  ワイヤレス通信システムは、音声（voice）、ビデオ、パケットデータ、メッセージング、ブロードキャストなどのような、様々なタイプの通信コンテンツを提供するように広く展開されている。これらのシステムは、利用可能なシステムリソース（たとえば、時間、周波数、および電力）を共有することによって複数の（multiple）ユーザとの通信をサポートすることが可能である（capable of）多元接続システム（multiple-access system）であり得る。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、（たとえば、ロングタームエボリューション（ＬＴＥ（登録商標））システム）を含む。
【０００４】
[0004]  例として、ワイヤレス多元接続通信システムは、各々は、複数の通信デバイスに関して同時に（simultaneously）通信をサポートする多数の基地局を含み得、それらは、さもなければ、ＵＥとして既知であり得る。基地局は、（たとえば、基地局からＵＥへの送信に関して）ダウンリンクチャネルおよび（たとえば、ＵＥから基地局への送信に関して）アップリンクチャネル上で、複数の通信デバイスと通信し得る。
【０００５】
[0005]  しかしながら、いくつかの例において、多数のフレームまたはプロトコルデータユニット（ＰＤＵ：protocol data unit）は、基地局とＵＥとの間の通信の間に（たとえば、品質の悪いチャネルの状態に起因して）ドロップされ（dropped）得る。１つまたは複数の連続するＰＤＵの送信の失敗は、基地局とＵＥとの間での脱同期に終わり（result in)得る。いくつかの例において、基地局とＵＥとの間での脱同期は、基地局からのデータを適切に解読する（decipher）かまたは展開する（decompress）ＵＥの能力に影響し得る。基地局とＵＥとの間の通信の改善された方法が、所望されている。
【発明の概要】
【０００６】
[0006]  ＵＥを基地局と再同期するためのシステム、方法、および装置が開示される。本開示の複数の態様に従って、ＵＥは、ＵＥに記憶されたハイパーフレーム番号（ＨＦＮ：hyper frame number）を使用して圧縮されたロバストなヘッダ圧縮（ＲｏＨＣ：compressed robust header compression）パケットを解読するために、閾値数の連続する失敗を検出し得る。複数の態様において、連続するそれら複数の失敗を検出する際に、ＵＥは、送信デバイスに失敗の表示を送信し得、ここで、表示は、否定応答（ＮＡＫ）メッセージを備え得る。複数の態様において、ＮＡＫメッセージを受信することに応答して、送信デバイスは、ＵＥにＲｏＨＣ初期化およびリフレッシュ（ＩＲ）パケットを送信し得る。
【０００７】
[0007]  本開示に従って、ＵＥは、ＩＲパケットのサイズに基づいて、ラジオリンクコントロール（ＲＬＣ：radio link control）レイヤでＩＲパケットを識別し得る。たとえば、ＩＲパケットは、圧縮されたＲｏＨＣパケットよりも大きいＰＤＵサイズを含み得るので、ＵＥは、ＩＲパケットを識別し得る。本開示の１つまたは複数の例において、ＵＥは、受信されたＩＲパケットを識別する際に、１つまたは複数のＨＦＮオフセット値を使用して、受信されたパケットを復号し得る。いくつかの例において、ＨＦＮオフセット値は、ＨＦＮ＋ｉまたはＨＦＮ−ｉ値のうちの少なくとも１つであり得、ここで、「ｉ」（“ｉ”）は、整数（たとえば、ｉ＝１、ｉ＝２等）であり得る。結果として、本開示は、受信デバイスにおいてＨＦＮ値をインクリメントすることまたはデクリメントすることのうちの少なくとも１つによって、ＵＥが送信デバイスと再同期することを可能にする（allows）。
【０００８】
[0008]  ＵＥにおけるワイヤレス通信の方法が説明される。方法は、第１のワイヤレスデバイスにおいて、第２のワイヤレスデバイスからＲｏＨＣ初期化およびリフレッシュ（ＩＲ）パケットを受信すること、ＩＲパケットのサイズに基づいて、第１のワイヤレスデバイスのＲＬＣレイヤにおいてＩＲパケットを識別すること、およびＩＲパケットの識別に応答して、ハイパーフレーム番号オフセットを使用してＩＲパケットを解読することを含み得る。
【０００９】
[0009]  ＵＥにおけるワイヤレス通信のための装置が説明される。装置は、第１のワイヤレスデバイスにおいて、第２のワイヤレスデバイスからＲｏＨＣ初期化およびリフレッシュ（ＩＲ）パケットを受信するための手段、ＩＲパケットのサイズに基づいて、第１のワイヤレスデバイスのＲＬＣレイヤにおいてＩＲパケットを識別するための手段、およびＩＲパケットの識別に応答して、ハイパーフレーム番号オフセットを使用してＩＲパケットを解読するための手段を含み得る。
【００１０】
[0010]  ＵＥにおけるワイヤレス通信のためのさらなる装置が説明される。装置は、プロセッサ、プロセッサと電子通信状態にあるメモリ、およびメモリに記憶された命令を含み得、ここにおいて、命令は、プロセッサによって、第１のワイヤレスデバイスにおいて、第２のワイヤレスデバイスからＲｏＨＣ初期化およびリフレッシュ（ＩＲ）パケットを受信すること、ＩＲパケットのサイズに基づいて、第１のワイヤレスデバイスのＲＬＣレイヤにおいてＩＲパケットを識別すること、およびＩＲパケットの識別に応答して、ハイパーフレーム番号オフセットを使用してＩＲパケットを解読することが実行可能である。
【００１１】
[0011]  ＵＥにおけるワイヤレス通信のためのコードを記憶する非一時的コンピュータ読み取り可能媒体が説明される。コードは、第１のワイヤレスデバイスにおいて、第２のワイヤレスデバイスからＲｏＨＣ初期化およびリフレッシュ（ＩＲ）パケットを受信すること、ＩＲパケットのサイズに基づいて、第１のワイヤレスデバイスのＲＬＣレイヤにおいてＩＲパケットを識別すること、およびＩＲパケットの識別に応答して、ハイパーフレーム番号オフセットを使用してＩＲパケットを解読することが実行可能である命令を含み得る。
【００１２】
[0012]  上記に説明された方法、装置、または非一時的コンピュータ読み取り可能媒体のうちのいくつかの例において、サイズに基づいてＩＲパケットを識別することは、受信されたＩＲパケットが、圧縮されたＲｏＨＣパケットよりも大きい暗号化された（ciphered）プロトコルデータユニット（ＰＤＵ）サイズを備えることを決定することを備える。追加的、または代替的に、いくつかの例は、解読されたＩＲパケットのＣＲＣ値に基づいて、ＩＲパケットが正確に解読されていることを決定することを含み得る。
【００１３】
[0013]  上記に説明された方法、装置、または非一時的コンピュータ読み取り可能媒体のうちのいくつかの例は、ハイパーフレーム番号オフセットを使用してのＩＲパケットを正確に解読することの失敗を検出することをさらに含み得る。追加的、または代替的に、いくつかの例は、検出された失敗に基づいて、ハイパーフレーム番号オフセットの値をインクリメントすることを含み得る。
【００１４】
[0014]  上記に説明された方法、装置、または非一時的コンピュータ読み取り可能媒体のうちのいくつかの例は、検出された失敗に基づいて、ハイパーフレーム番号オフセットの値をデクリメントすることをさらに含み得る。追加的、または代替的に、いくつかの例は、検出された失敗に基づいて、ラジオリンクの失敗をトリガすることを含み得る。
【００１５】
[0015]  上記に説明された方法、装置、または非一時的コンピュータ読み取り可能媒体のうちのいくつかの例は、ハイパーフレーム番号オフセットを使用してＩＲパケットを解読することにおける成功に基づいて、第１のワイヤレスデバイスを第２のワイヤレスデバイスと同期することをさらに含み得る。追加的、または代替的に、いくつかの例は、第１のワイヤレスデバイスによって記憶された現在のハイパーフレーム番号を使用して圧縮されたＲｏＨＣパケットを解読することの閾値数の連続する失敗を検出することを含み得る。
【００１６】
[0016]  上記に説明された方法、装置、または非一時的コンピュータ読み取り可能媒体のうちのいくつかの例は、第２のワイヤレスデバイスに連続する失敗の表示を送信することをさらに含み得る。追加的、または代替的に、いくつかの例において、第２のワイヤレスデバイスに送信される表示は、否定応答メッセージを備える。
【００１７】
[0017]  前述のことは、後に続く詳細な説明がよりよく理解され得るように、本開示に従って、複数の例の特徴および技術的利点を幾分広範に概説した。追加的な特徴および利点は、以下に説明される。開示された観念および特定の例は、本開示の同じ目的を実行する（carrying out）ための他の構造を修正することおよび設計することへの根拠として（as a basis for）、容易に利用され得る。そのような同等の構造（construction）は、添付の特許請求の範囲の範囲から逸脱しない。本明細書で開示される概念の特性（characteristics）、それらの編成（organization）および動作の方法の両方は、関連する利点とともに、添付の図に関連して検討されたときに以下の説明からより良く理解されるであろう。複数の図の各々は、例示および説明のみを目的として提供され、特許請求の範囲の限定の定義としては提供されない。
【００１８】
[0018]  本開示の特質および利点のさらなる理解は、以下の図面を参照することによって実現され得る。添付の図面では、同様のコンポーネントまたは特徴は、同じ参照ラベルを有し得る。さらに、同じタイプの様々なコンポーネントは、参照ラベルに、ダッシュと、同様のコンポーネント間を区別する第２のラベルとを後続させることによって区別され得る。本明細書中で、ただ第１の参照ラベルだけが使用される場合、その説明は、第２の参照ラベルに関係なく同じ第１の参照ラベルを有する同様の複数のコンポーネントのいずれか１つに適用可能である。
【図面の簡単な説明】
【００１９】
【図１】[0019]  図１は、本開示の様々な態様に従って、ＨＦＮオフセットを用いてユーザ機器（ＵＥ）を同期するためのワイヤレス通信システムの例を例示する。
【図２】[0020]  図２は、本開示の様々な態様に従って、ＨＦＮオフセットを用いてＵＥを同期するためのフロー図の例を例示する。
【図３】[0021]  図３は、本開示の様々な態様に従って、ＨＦＮオフセットを用いてＵＥを同期するためのフローチャートを例示する。
【図４】[0022]  図４は、本開示の様々な態様に従って、ＨＦＮオフセットを用いてＵＥを同期するように構成されたＵＥのブロック図を示す。
【図５】[0023]  図５は、本開示の様々な態様に従って、ＨＦＮオフセットを用いてＵＥを同期するように構成されたＵＥの別のブロック図を示す。
【図６】[0024]  図６は、本開示の様々な態様に従って、ＨＦＮオフセットを用いてＵＥを同期するように構成された通信管理モジュールのブロック図を示す。
【図７】[0025]  図７は、本開示の様々な態様に従って、ＨＦＮオフセットを用いてＵＥを同期するように構成されたＵＥを含むシステムのブロック図を例示する。
【図８】[0026]  図８は、本開示の様々な態様に従って、ＨＦＮオフセットを用いてＵＥを同期するための方法を例示するフローチャートを示す。
【図９】[0027]  図９は、本開示の様々な態様に従って、ＨＦＮオフセットを用いてＵＥを同期するための方法を例示する別のフローチャートを示す。
【図１０】[0028]  図１０は、本開示の様々な態様に従って、ＨＦＮオフセットを用いてＵＥを同期するための方法を例示する別のフローチャートを示す。
【図１１】[0029]  図１１は、本開示の様々な態様に従って、ＨＦＮオフセットを用いてＵＥを同期するための方法を例示する別のフローチャートを示す。
【図１２】[0030]  図１２は、本開示の様々な態様に従って、ＨＦＮオフセットを用いてＵＥを同期するための方法を例示する別のフローチャートを示す。
【詳細な説明】
【００２０】
[0031]  説明された複数の特徴は、一般に、１つまたは複数のＨＦＮオフセット値を利用してＵＥを同期するための改善された複数のシステム、複数の方法、または複数の装置に関する。ラジオリンクコントロール（ＲＬＣ）レイヤにおける送信デバイス（たとえば、基地局）デバイスと受信デバイス（たとえば、移動デバイス）との間のデータ通信は、エンクリプションおよびデクリプション（encryption and decryption）の処理がスムーズに動作することを確実にする（ensure）ために、厳密な同期（strict synchronization）を要し得る。ＲＬＣレイヤで、暗号化することおよび解読すること（ciphering and deciphering）は、時変パラメータ値またはカウント（a time-varying parameter value or count）を利用することによって、送信されたパケット上で行われ得、それは、各ＲＬＣ  ＳＮサイクルでインクリメントされるハイパーフレーム番号（ＨＦＮ）と短配列番号（ＳＮ：a short sequence number）との組み合わせであり得る。従って、ＳＮ値が、最大値（たとえば、１２７）を超える（exceeds）とき、ＳＮは、それの初期値０までラップアラウンドし（wrapped around）得、ＨＦＮは、１つずつインクリメントされ（incremented by 1）得る。いくつかの例において、ＳＮ値は、各パケットの送信の間、送信デバイスと受信デバイスとの間にシグナリングされ得る。対照的に、ＨＦＮ値は、送信するおよび受信デバイスの各々によって、別個に追跡され（tracked）得る（たとえば、受信デバイスに、送信デバイスによってシグナリングされない）。
【００２１】
[0032]  いくつかの例において、多数のフレームまたはＰＤＵは、送信デバイスと受信デバイスとの間に（たとえば、質の悪い送信チャネルの状態に起因して）ドロップされ得る。結果として、これらのフレームの送信は、ＨＦＮ値に、送信デバイスにおいて、ロールオーバ（rollover）させ得る。しかしながら、受信デバイスは、ドロップされたフレームを受信しない可能性があるので、受信デバイスにおけるＨＦＮ値は、適切にインクリメントされない可能性があり、送信デバイスと受信デバイスとの間での脱同期に終わる。この脱同期は、受信デバイスによる、送信デバイスからのデータを解読および／または展開の失敗に終わり得る。たとえば、受信デバイスが、６４個よりも多くの連続するＰＤＵを逃す（misses）場合、受信デバイスは、逃したＰＤＵに気づいていない可能性があり、よって受信デバイスにおけるＨＦＮは、インクリメントされない可能性がある。その後は、さらなる複数のＰＤＵが正確に送信されおよび受信されたとしても、受信された複数のＰＤＵにおけるデータは、送信デバイスおよび受信デバイスにおけるＨＦＮ間での脱同期に起因して、受信デバイスにおいて誤って（erroneously）解読され得る。
【００２２】
[0033]  本開示に従って、受信デバイスのＨＦＮが、送信デバイスのＨＦＮと同期がずれ（out of synch with）得るとき、受信デバイスは、解読するデッドロック（deciphering deadlock）を破り（break）得る。特に、本開示に従って、受信デバイスは、受信デバイスによって記憶された現在のＨＦＮを使用して圧縮されたロバストなヘッダ圧縮パケット（ＲｏＨＣ）を解読することの閾値数の連続する失敗を検出する際に、送信デバイスにそれら連続する失敗の表示を送信し得る。いくつかの例において、表示は、否定応答（ＮＡＫ）メッセージであり得る。それに応じて、送信デバイスは、パケット圧縮なしにフルヘッダ情報（full header information）搬送するＲｏＨＣ初期化およびリフレッシュ（ＩＲ）パケットを送信し得る。
【００２３】
[0034]  本開示のいくつかの例において、受信デバイスは、ＩＲパケットのサイズに基づいて、受信デバイスのラジオリンクコントロール（ＲＬＣ）レイヤにおいてＩＲパケットを識別し得る。特に、受信デバイスは、そのＩＲパケットが、圧縮されたＲｏＨＣパケットよりも大きい暗号化されたＰＤＵサイズを備えることを決定し得る。従って、受信デバイスは、ＨＦＮオフセット値を使用して、受信されたＩＲパケットを解読するかまたは展開することを試み得る。いくつかの例において、ＨＦＮオフセット値は、ＨＦＮ＋ｉまたはＨＦＮ−ｉ値であり得、ここで、“ｉ”は、整数（たとえば、ｉ＝１、ｉ＝２等）であり得る。結果として、受信デバイスは、受信デバイスにおいてＨＦＮ値をインクリメントまたはデクリメントすることによって、送信デバイスと再同期することを試み得る。一例において、受信デバイスは、解読されたＩＲパケットのサイクリック・リダンダンシー・チェック（ＣＲＣ）値に基づいて、ＩＲパケットが正確に解読されているか、または否かを決定し得る。
【００２４】
[0035]  以下の説明は、複数の例を提供するものであり、特許請求の範囲に記載されている範囲、適用性、または複数の例を限定していない。複数の変更は、本開示の範囲から逸脱することなく、延べられる要素の機能および配置において行われ得る。様々な例は、適宜、様々なプロシージャまたはコンポーネントを省略、代用、あるいは追加し得る。たとえば、説明される方法は、説明されるものとは異なる順序で行われ得、様々なステップは、追加、省略、または組み合わされ得る。また、いくつかの例に関して説明される特徴は、他の例において組み合され得る。
【００２５】
[0036]  図１は、本開示の様々な態様に従って、ワイヤレス通信システム１００の例の図を例示する。システム１００は、基地局１０５、少なくとも１つのＵＥ１１５、およびコアネットワーク１３０を含む。コアネットワーク１３０は、ユーザ認証、アクセス許可、トラッキング、インターネットプロトコル（ＩＰ）接続性、および他のアクセス、ルーティング、またはモビリティ機能を提供し得る。基地局１０５は、バックホールリンク１３２（たとえば、Ｓ１等）を通じてコアネットワーク１３０とインターフェイスで連結する（interface with）。基地局１０５は、ＵＥ１１５との通信のためにラジオ構成およびスケジューリングを行い得、または基地局のコントローラ（図示せず）のコントロール下で動作し得る。様々な例では、基地局１０５は、（たとえば、コアネットワーク１３０を通して）直接的または間接的に、バックホールリンク１３４（たとえば、Ｘ１等）上で互いに通信し得、それはワイヤード（wired）またはワイヤレス通信リンクであり得る。
【００２６】
[0037]  基地局１０５は、１つまたは複数の基地局アンテナを介してＵＥ１１５とワイヤレスに通信し得る。基地局１０５の各々は、それぞれのカバレッジエリア１１０に通信カバレッジを提供し得る。いくつかの例において、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれ得る。基地局１０５のための地理的カバレッジエリア１１０は、そのカバレッジエリアの一部を構成する（making up）複数のセクタ（図示せず）に分割され得る。ワイヤレス通信システム１００は、異なる複数のタイプの基地局１０５（たとえば、マクロまたはスモールセル基地局）を含み得る。異なる複数の技術のための重複する（overlapping）地理的カバレッジエリア１１０があり得る。
【００２７】
[0038]  いくつかの例において、ワイヤレス通信システム１００は、ロングタームエボリューション（ＬＴＥ）／ＬＴＥ−アドバンスト（ＬＴＥ−Ａ）ネットワークである。ＬＴＥ／ＬＴＥ−Ａネットワークでは、発展型ノードＢ（ｅＮＢ）という用語は、一般に、基地局１０５を説明するために使用され得、一方で、ＵＥという用語は、一般に、ＵＥ１１５を説明するために使用され得る。ワイヤレス通信システム１００は、異なるタイプの複数のｅＮＢが、そこにおいて様々な地理的領域（geographical regions）にカバレッジを提供する異種ＬＴＥ／ＬＴＥ−Ａネットワークであり得る。たとえば、各ｅＮＢまたは基地局１０５は、マクロセル、スモールセル、または他の複数のタイプのセルに通信カバレッジを提供し得る。「セル」という用語は、コンテキストに応じて、基地局、基地局に関連するコンポーネントキャリアまたはキャリア、あるいは基地局またはキャリアのカバレッジエリア（たとえば、セクタ等）を説明するために使用されることができる３ＧＰＰ（登録商標）用語である。
【００２８】
[0039]  マクロセルは、一般に、比較的大きい地理的エリア（たとえば、半径数キロメートル）をカバーし、ネットワークプロバイダのサービスに加入しているＵＥ１１５による無制限のアクセスを可能にし得る。スモールセルは、複数のマクロセルと同じまたは異なる（たとえば、認可、無認可等の）複数の周波数帯域内で動作し得る、マクロセルと比較すると、より低出力（lower-powered）の基地局である。スモールセルは、様々な例によると、ピコセル、フェムトセル、およびマイクロセルを含み得る。ピコセルは、たとえば、小さい地理的エリアをカバーし得、ネットワークプロバイダのサービスに加入しているＵＥ１１５による無制限のアクセスを可能にし得る。フェムトセルもまた、小さい地理的エリア（たとえば、家）をカバーし得、フェムトセルとの関連付けを有するＵＥ１１５（たとえば、限定加入者グループ（ＣＳＧ：a closed subscriber group）中のＵＥ１１５、家の中にいるユーザのためのＵＥ１１５など）による制限されたアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢまたはホームｅＮＢと呼ばれ得る。ｅＮＢは、１つまたは複数（たとえば、２つ、３つ、４つなど）のセル（たとえば、コンポーネントキャリア）をサポートし得る。
【００２９】
[0040]  ワイヤレス通信システム１００は、同期または非同期（asynchronous）動作をサポートし得る。同期動作に関しては、基地局１０５は、同様のフレームタイミングを有し得、異なる複数の基地局１０５からの送信は、時間的に近似に（approximately）そろえられ（aligned in time）得る。非同期動作に関しては、基地局１０５は、異なるフレームタイミングを有し得、異なる複数の基地局１０５からの送信が時間的にそろえられない可能性がある。本明細書で説明される複数の技法は、同期または非同期動作のいずれかに対して使用され得る。
【００３０】
[0041]  様々な開示された複数の例のうちのいくつかを供給し（accommodate）得る複数の通信ネットワークは、階層化プロトコルスタック（a layered protocol stack）に従って動作するパケットベースのネットワーク（packet-based networks）であり得る。ユーザプレーン（user plane）において、ベアラ（bearer）またはパケットデータコンバージェンスプロトコル（ＰＤＣＰ：packet data convergence protocol）レイヤでの通信は、ＩＰベースであり得る。ラジオリンクコントロール（ＲＬＣ）レイヤは、論理チャネルを通じて通信するためにパケットセグメンテーション（packet segmentation）およびリアセンブリ（reassembly）を行い得る。媒体アクセスコントロール（ＭＡＣ）レイヤは、複数のトランスポートチャネルへの複数の論理チャネルの多重化および優先処理（priority handling）を行い得る。ＭＡＣレイヤはまた、リンク効率（link efficiency）を改善するために、ＭＡＣレイヤで再送信を提供するためにハイブリッド自動再送要求（ＨＡＲＱ）を使用し得る。コントロールプレーンにおいて、ラジオリソースコントロール（ＲＲＣ：radio resource control）プロトコルレイヤは、ＵＥ１１５と基地局１０５との間でのＲＲＣ接続の確立、構成、および維持を提供し得る。ＲＲＣプロトコルレイヤはまた、ユーザプレインデータ（user plane data）に関する複数のラジオベアラのコアネットワーク１３０のサポートに使用され得る。物理（ＰＨＹ）レイヤにおいて、それらトランスポートチャネルは、複数の物理チャネルにマッピングされ得る。
【００３１】
[0042]  ＵＥ１１５は、ワイヤレス通信システム１００全体に分散していることがあり得、各ＵＥ１１５は、固定式またはモバイルであり得る。ＵＥ１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な専門用語を含み得、あるいは、当業者によってそのように呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３２】
[0043]  ワイヤレス通信システム１００で示される通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信はまた、順方向リンク送信と呼ばれ得、一方で、アップリンク送信はまた、逆方向リンク送信と呼ばれ得る。各通信リンク１２５は、１つまたは複数のキャリアを含み得、ここで、各キャリアは、上記に説明された様々な無線技術に従って変調された複数のサブキャリア（たとえば、異なる複数の周波数の複数の波形信号）で構成されている信号であり得る。各変調された信号は、異なるサブキャリア上で送られ得、コントロール情報（たとえば、複数の基準信号、複数のコントロールチャネル、等）、オーバヘッド情報、ユーザデータ等を搬送し得る。通信リンク１２５は、（たとえば、ペアにされたスペクトルリソースを使用する）周波数分割複信（ＦＤＤ）または（たとえば、ペアにされていない複数のスペクトルリソースを使用する）時分割複信（ＴＤＤ）動作を使用して、双方向通信を送信し得る。フレーム構造は、ＦＤＤ（たとえば、フレーム構造タイプ１）に関して、およびＴＤＤ（たとえば、フレーム構造タイプ２）に関して定義され得る。
【００３３】
[0044]  システム１００のいくつかの実施形態では、基地局１０５またはＵＥ１１５は、基地局１０５とＵＥ１１５との間の通信の品質と信頼性とを改善するために、アンテナダイバーシティ方式を採用するための複数のアンテナを含み得る。追加的または代替的に、基地局１０５またはＵＥ１１５は、同じまたは異なるコード化されたデータを搬送する複数の空間レイヤを送信するために、マルチパス環境を活用し（take advantage of）得る多入力多出力（ＭＩＭＯ）技法を用い得る。
【００３４】
[0045]  ワイヤレス通信システム１００は、複数のセルまたはキャリア上での動作、キャリアアグリゲーション（ＣＡ：carrier aggregation）またはマルチキャリア動作と呼ばれ得る機能をサポートし得る。キャリアは、コンポーネントキャリア（ＣＣ）、レイヤ、チャネル等とも呼ばれ得る。「キャリア」、「コンポーネントキャリア」、「セル」、および「チャネル」という用語は、本明細書では交換可能に使用され得る。ＵＥは、キャリアアグリゲーションのために複数のダウンリンクＣＣおよび１つまたは複数のアップリンクＣＣで構成され得る。キャリアアグリゲーションは、ＦＤＤコンポーネントキャリアとＴＤＤコンポーネントキャリアの両方とともに使用され得る。
【００３５】
[0046]  本開示に従って、ＲＬＣにおける基地局１０５とＵＥ１１５との間のデータ通信は、ＵＥ１１５が、受信されたデータを適切にデクリプトすることができることを確実にするために、厳格な同期を要し得る。たとえば、音声通信を確立するために、基地局１０５およびＵＥ１１５との間の通信が同期されたままでいる（remain）ことは重要（critical）であり得る。しかしながら、上で述べられるように、時折、基地局１０５とＵＥ１１５との間の多数のフレームまたはＰＤＵは、たとえば、品質の悪いチャネルの状態に起因して、成功裏に送信されない可能性がある。そのような場合、フレームの失敗に終わった（unsuccessful）送信は、ＨＦＮに、基地局１０５においてロールオーバさせ得るが、ＵＥ１１５においてロールオーバさせない可能性があり、基地局１０５とＵＥ１１５との間との脱同期に終わる。脱同期は、ＵＥ１１５による、基地局１０５からのデータを解読するかまたは展開の失敗にさらに終わり得る。たとえば、ＵＥ１１５が、６４個よりも多くの連続するＰＤＵを逃す場合、ＵＥ１１５は、逃したＰＤＵに気づいていない可能性があり、よって、基地局１０５と同期されたままを維持するために、ＵＥ１１５におけるＨＦＮをインクリメントしない可能性がある。その結果、さらなる複数のＰＤＵが基地局１０５とＵＥ１１５との間で正確に送信されおよび受信されたとしても、受信された複数のＰＤＵにおけるデータは、基地局１０５およびＵＥ１１５におけるＨＦＮ値の間での脱同期に起因して、不正確に（incorrectly）解読され得る。
【００３６】
[0047]  本開示に従って、ＵＥ１１５は、ＵＥ１１５に記憶されたＨＦＮを使用して圧縮されたＲｏＨＣパケットを解読することの閾値数の連続する失敗を経験する際に、脱同期を検出し得る。圧縮されたＲｏＨＣパケットを解読する連続する複数の失敗を検出する際に、ＵＥ１１５は、脱同期を表示する基地局１０５にメッセージを送信し得る。いくつかの例において、メッセージは、ＮＡＫを備える。ＵＥ１１５からＮＡＫメッセージを受信することに応答して、基地局１０５は、ＵＥ１１５にＩＲパケットを送信し得る。ＩＲパケットは、ＵＥ１１５が基地局１０５と再同期することを援助する（assist）ための、重要なパケット圧縮なしのペイロードを含む、フルヘッダ情報を搬送し得る。
【００３７】
[0048]  ワイヤレス通信システム１００は、上位の複数のレイヤ（たとえば、ＲＲＣおよびＰＤＣＰ）を下位の複数のレイヤ（たとえば、ＭＡＣレイヤ）に接続するＲＬＣレイヤを含み得る。基地局１０５またはＵＥ１１５におけるＲＬＣエンティティは、複数の送信パケットが、（ＭＡＣレイヤトランスポートブロックサイズに対応して）適切にサイズ付けされた複数のブロックに整理される（organized）ことを確実にし得る。入ってくる一データパケット（たとえば、ＰＤＣＰまたはＲＲＣサービスデータユニット（ＳＤＵ））が、送信には大きすぎる場合、ＲＬＣレイヤは、それをいくつかの（several）より小さいＲＬＣプロトコルデータユニット（ＰＤＵ）にセグメント化し得る。入ってくる複数のデータパケットが小さすぎる場合、ＲＬＣレイヤは、それらのいくつかを、単一の、より大きいＲＬＣ  ＰＤＵに連結し（concatenate）得る。各ＲＬＣ  ＰＤＵは、データをリアセンブルする（reassemble）やり方についての情報を含むヘッダを含み得る。ＲＬＣレイヤはまた、複数のパケットが確実に送信されることを確実にし得る。送信器は、それが、対応する肯定応答（ＡＣＫ）受信するまで、インデックス付けされた複数のＲＬＣ  ＰＤＵのバッファを保ち（keep）得、各ＰＤＵの再送信を続け得る。いくつかの事例では、送信器は、どの複数のＰＤＵが受信されたかを決定するためのポール要求（a Poll Request）を送り得、受信器は、状況報告（a Status Report）で応答し得る。ＭＡＣレイヤのＨＡＲＱと異なり、ＲＬＣ自動再送要求（ＡＲＱ）は、フォワードエラー補正機能（a forward error correction function）を含まない可能性がある。ＲＬＣエンティティは、３つのモードのうちの１つにおいて、動作し得る。応答されたモード（ＡＭ）、応答されていないモード（ＵＭ）およびＴＭにおいて。ＡＭにおいて、ＲＬＣエンティティは、セグメンテーション／連結およびＡＲＱを行い得る。このモードは、遅延耐性があり（delay tolerant）またはエラーに敏感な送信に適切であり得る。ＵＭにおいて、ＲＬＣエンティティは、セグメンテーションまたは連結を行い得るが、ＡＲＱを行わない可能性がある。これは、遅延に敏感でありまたはエラー耐性のあるトラフィック（たとえば、ボイスオーバーロングタームエボリューション（ＶｏＬＴＥ））にとって適切であり得る。トランスペアレントなモード（ＴＭ：transparent mode）は、連結／セグメンテーションまたはＡＲＱなしで、データバッファリングを行い得る。ＴＭは、主にブロードキャストコントロール情報（たとえば、マスター情報ブロック（ＭＩＢ）および複数のシステム情報ブロック（ＳＩＢ））、複数のページングメッセージ、および複数のＲＲＣ接続メッセージを送ることに使用され得る。いくつかの送信は、ＲＬＣ（たとえば、ランダムアクセスチャネル（ＲＡＣＨ）プリアンブルおよび応答）なしで送られ得る。
【００３８】
[0049]  本開示に従って、ＵＥ１１５は、それらＰＤＵパケットのサイズに基づいて、受信された複数のＰＤＵを識別し得る。一例において、ＵＥ１１５は、受信されたＩＲパケットは、圧縮されたＲｏＨＣパケットよりも大きい暗号化されたＰＤＵサイズを備えることを決定するという決定に基づいて、受信されたＰＤＵをＩＲパケットとして識別し得る。従って、ＵＥ１１５は、ＩＲパケットの識別に応答してＨＦＮオフセットを使用して、ＩＲパケットを解読し得る。本開示のいくつかの例において、ＵＥ１１５は、解読されたＩＲパケットのＣＲＣ値に基づいて、ＩＲパケットが正確に解読されているかどうかを決定し得る。万一、ＵＥ１１５が、ＨＦＮオフセットを使用してのＩＲパケットを解読することの失敗を検出する場合には、ＵＥ１１５は、検出された失敗に基づいて、ＨＦＮオフセットの値をインクリメントまたはデクリメントし得る。
【００３９】
[0050]  いくつかの事例では、ＵＥ１１５は、ラジオリンクが失敗したことを決定し得、ラジオリンクの失敗（ＲＬＦ：radio link failure）プロシージャを開始し得る。たとえば、ＲＬＦプロシージャは、最大数の再送信が、到達されたというＲＬＣ表示の際に、最大数の同期していないという表示（out-of-sync indications）を受信する際に、またはＲＡＣＨプロシージャの間の無線の失敗の際に、トリガされ得る。いくつかの事例（たとえば、同期していないという表示の限界に到達することの後）では、ＵＥ１１５は、タイマーを開始し得、閾値数の同期しているという表示（in-sync indications）が受信されたかどうかを決定するために待ち得る。同期しているという表示の数が、タイマーの終了（expiration）の前に閾値を超える（exceeds）場合、ＵＥ１１５は、ＲＬＦプロシージャを中断（abort）し得る。さもなければ、ＵＥ１１５は、ネットワークへのアクセスを取り戻す（regain）ためにＲＡＣＨプロシージャを行い得る。ＲＡＣＨプロシージャは、セルラジオネットワークの一時的なアイデンティティ（Ｃ−ＲＮＴＩ：cell radio network temporary identity）、セルの識別（ＩＤ）、セキュリティ検証情報（security verification）、および再確立の原因（a cause）を含むＲＲＣ接続再確立要求（an RRC connection re-establishment request）を送信することを含み得る。その要求を受信する基地局１０５は、ＲＲＣ接続の再確立のメッセージ（an RRC connection re-establishment message）またはＲＲＣ接続の再確立の拒否（an RRC connection re-establishment rejection）を用いて応答し得る。ＲＲＣ接続の再確立のメッセージは、セキュリティキーを生成するための情報と同様に、ＵＥ１１５のためのシグナリングラジオベアラ（ＳＲＢ）を確立するためのパラメータを含み得る。いったん、ＵＥ１１５が、ＲＲＣ接続の確立のメッセージを受信すると、それは、新しいＳＲＢ構成をインプリメントし得、基地局１０５にＲＲＣ接続の再確立の完了メッセージ（an RRC connection re-establishment complete message）を送信し得る。
【００４０】
[0051]  いくつかの事例において、ＬＴＥネットワークは、データパケットの転送のために設計され得、音声通信のためにフォールバックにスイッチされた回路（a circuit switched fall back）を使用し得る。しかしながら、ＬＴＥネットワークはまた、ボイスオーバーインターネットプロトコル（ＶｏＩＰ：voice over internet protocol）アプリケーションと同様の、パケットべースのシステムを使用する音声通信のために使用され得る。これは、ＶｏＬＴＥ技術を使用して成し遂げられ得る。ＶｏＬＴＥとＶｏＩＰとの間には、いくつかの肝要な（key）複数の違いがあり得る。たとえば、ＶｏＬＴＥサービスは、明示的なサービス品質（ＱｏＳ）のターゲット（an explicit quality of service (QoS) target）を含み得る。品質の悪い無線状態でのＱｏＳ閾値を達成するために、複数のＶｏＬＴＥパケットは、少ない待ち時間（low latency）および改善されたエラー補正を確実にするためにインターネットプロトコルマルチメディアサブシステム（ＩＭＳ：internet protocol multimedia subsystem）および他のネットワークの特徴を利用し得る。
【００４１】
[0052]  図２は、本開示の様々な態様に従って、ＨＦＮオフセットを用いてＵＥを同期するためのワイヤレス通信サブシステム２００の例を例示する。ワイヤレス通信サブシステム２００は、ＵＥ１１５−ａを含み得、それは、図１に関して上で説明されたＵＥ１１５の例であり得る。ワイヤレス通信サブシステム２００はまた、基地局１０５−ａを含み得、それは、図１に関して上で説明された基地局１０５の例であり得る。
【００４２】
[0053]  本開示に従って、ＵＥ１１５−ａおよび基地局１０５−ａは、データ（たとえば、ＬＴＥ上の音声パケット）を交換するために通信を確立し得る。ＰＤＣＰにおいて、複数のパケットを暗号化および解読することは、時変パラメータ値またはカウントを利用することによって行われ得、それは、各ＰＤＣＰＳＮサイクルでインクリメントされるハイパーフレーム番号（ＨＦＮ）と短配列番号（ＳＮ）との組み合わせであり得る。従って、ＳＮ値が最大値（たとえば、１２７）を超える（exceeds）とき、ＳＮは、それの初期値（たとえば、ゼロ）までラップアラウンドされ得、ＨＦＮは、連続してインクリメントされ得る。本開示のいくつかの例において、ＵＥ１１５−ａは、送信されたパケットをエンクリプトするために、基地局１０５−ａによって利用されるＨＦＮを使用して、受信されたＰＤＵをデクリプトする必要があり得る。
【００４３】
[0054]  一例において、ＵＥ１１５−ａおよび基地局１０５−ａは、独立して、ＨＦＮカウンタ２０５を維持し得る。ＳＮ値は、基地局１０５−ａによって送信された各関連付けられたＰＤＵでシグナリングされ得る。例示された例において、ＨＦＮカウンタは、ＵＥＨＦＮカウンタ２０５−ａと基地局（ＢＳ）ＨＦＮカウンタ２０５−ｂとの両方に関して、ゼロで、開始し得る。第１の時間間隔の間、基地局１０５−ａは、ＵＥ１１５−ａに第１のセットのＰＤＵ２１０を送信し得る。各送信されたＰＤＵは、ＵＥ１１５−ａが基地局１０５−ａから受信された複数のパケットの順序を決定することを許可し得るＳＮ値（たとえば、０−１２７）と一致し（correspond with）得る。ＳＮ値が最大値（たとえば、１２７）を超えるとき、ＳＮは、値ゼロまでラップアラウンドされ得、ＵＥ１１５−ａは、ＵＥ  ＨＦＮカウンタ２１５−ａをインクリメントし得る。同様に、基地局１０５−ａは、現在のＨＦＮ値を反映するようにインクリメントされ得る別個のＨＦＮカウンタ２１５−ｂを維持し得る。
【００４４】
[0055]  いくつかの例において、基地局１０５−ａは、第２の時間期間の間、ＵＥ１１５−ａに第２のセットのＰＤＵ（単数または複数）２２０を送信し得る。しかしながら、一例において、ＰＤＵ（単数または複数）２２０の送信されたセットは、品質の悪いチャネルの状態に起因して、ＵＥ１１５−ａに到達できない(fail to reach）可能性がある。結果として、第２のセットのＰＤＵ（単数または複数）２２０の送信は、基地局１０５−ａに、ＢＳ  ＨＦＮカウンタ２２５をロールオーバさせ得るが、ＵＥ  ＨＦＮカウンタをロールオーバさせない可能性があり、ＵＥ１１５−ａと基地局１０５−ａとの間での脱同期に終わる。その後に、基地局１０５−ａが、ＵＥ１１５−ａに、更新されたＨＦＮ値を使用してエンクリプトされた第３のセットのＰＤＵ（単数または複数）２３０を送信するとき、ＵＥ１１５−ａは、逃した第２のセットのＰＤＵ（単数または複数）に気づいていない可能性がある。このように、いくつかの例において、ＵＥ１１５−ａは、復号の失敗２３５に終わるステイル（stale）なＨＦＮ値（たとえば、ＨＦＮ＝１）を利用して、第３のセットのＰＤＵ（単数または複数）を解読することを試み得る。一例において、ＵＥ１１５−ａは、解読されたパケットのＣＲＣ値に基づいて、受信されたパケットが正確に解読されているかどうかを決定し得る。追加的、または代替的に、ＵＥ１１５−ａは、基地局１０５−ａに否定応答（ＮＡＫ）メッセージ２４０を送信することの前に所定の回数にわたり（for a predetermined number of times）受信されたＰＤＵセット２３０を解読することを試み得る。
【００４５】
[0056]  ＮＡＫメッセージ２４０を受信する際に、基地局１０５−ａは、パケット圧縮なしでデータパケットを搬送するＲｏＨＣ  ＩＲパケット２４５を送信し得る。受信されたＲｏＨＣ  ＩＲパケット２４５に部分的に基づいて、ＵＥ１１５−ａは、図３に関して詳細に説明された適用ＨＦＮオフセット再同期プロシージャ（adaptive HFN offset re-synchronization procedure）２５０を開始し得る。
【００４６】
[0057]  図３は、本開示の様々な態様に従って、ＨＦＮオフセットを用いてＵＥを同期するための方法３００を例示するフローチャートである。方法３００の複数の動作は、図１〜２に関して説明されるように、ＵＥ１１５またはそれの複数のコンポーネントによってインプリメントされ得る。いくつかの例において、ＵＥ１１５は、以下に説明された複数の機能を行うために、ＵＥ１１５の複数の機能的なエレメントをコントロールするためのコードのセットを実行し得る。追加的、または代替的に、ＵＥ１１５は、特殊用途のハードウェアを使用して、以下に説明された複数の機能、複数の態様を行い得る。
【００４７】
[0058]  本開示に従って、ＵＥ１１５は、ブロック３０５において、送信されたＮＡＫメッセージに応答して、基地局１０５からのＲｏＨＣ  ＩＲパケットを受信し得る。ブロック３１０において、ＵＥ１１５は、ＲＬＣレイヤにおいて、パケットのサイズに基づいて、ＩＲパケットを識別し得る。複数の態様において、ＵＥ１１５は、別のレイヤにおいてＩＲパケットを識別し得る。一例において、ＵＥ１１５は、受信されたＩＲパケットは、圧縮されたＲｏＨＣパケットよりも大きい暗号化されたＰＤＵサイズを備えることを決定し得る。
【００４８】
[0059]  追加的、または代替的に、ＵＥ１１５は、ブロック３１５において、初期のＨＦＮオフセット値に基づいて、ＩＲパケットを解読し得る。いくつかの例において、ＨＦＮオフセット値は、ＨＦＮ＋ｉまたはＨＦＮ−ｉ値のうちの１つまたは複数、またはそれのサブセットを参照し得、ここで、「ｉ」は、整数（たとえば、ｉ＝１、ｉ＝２等）であり得る。一例において、初期のＨＦＮオフセット値は、１であり得る（たとえば、ＨＦＮ＝１）。ブロック３２０において、ＵＥ１１５は、解読されたＩＲパケットに対して、サイクリック・リダンダンシー・チェック（ＣＲＣ）を行うことによって、解読されたＩＲパケットが正確に解読されたどうかを決定し得る。ブロック３２０において、ＵＥ１１５が、初期のＨＦＮオフセット値が正しいＣＲＣを産出する（yields）ことを決定する場合、方法３００は、ＵＥ１１５および基地局１０５が再同期されていることを識別するために、ブロック３２５に進み得る。しかしながら、万一、ＵＥ１１５が、初期のＨＦＮオフセットを使用してのＩＲパケットを正確に解読することの失敗を検出する場合には、ＵＥ１１５は、ブロック３３０において、閾値数の再試行（たとえば、３つの連続する施行）が到達されたかどうかを最初に決定し得る。いくつかの例において、閾値は、基地局１０５とＵＥ１１５との間で送信されたデータのタイプに基づいて、動的に調整され得る。受信されたＩＲパケットを解読することを試行することに関する閾値が到達した場合、ＵＥ１１５は、ブロック３３５において、ラジオリンクの失敗をトリガし得、基地局１０５との通信の再確立の処理を始め得る。複数の態様において、初期のＨＦＮオフセットを使用してのＩＲパケットを正確に解読することの単一の失敗は、ラジオリンクの失敗をトリガし得る。
【００４９】
[0060]  しかしながら、再試行の閾値が到達されなかったとき、ＵＥ１１５は、ブロック３４０において、検出されたＣＲＣの失敗に基づいて、ＨＦＮオフセットの値をインクリメントまたはデクリメントし得る。ブロック３４５において、ＵＥ１１５は、更新されたＨＦＮオフセット値で受信されたＩＲパケットを解読することを試み得、再び、解読されたＩＲパケットのＣＲＣ値に基づいて、ＩＲパケットが正確に解読されているかどうかを決定し得る。
【００５０】
[0061]  図４は、本開示の様々な態様に従って、ＨＦＮオフセットを用いてＵＥを同期するように構成されたＵＥ１１５−ｂのブロック図４００を示す。ＵＥ１１５−ｂは、図１〜３に関して説明される、ＵＥ１１５の複数の態様の例であり得る。ＵＥ１１５−ｂは、受信器４０５、通信管理モジュール４１０、または送信器４１５を含み得る。ＵＥ１１５−ｂは、プロセッサを含み得る。これらのコンポーネントの各々は、互いに通信状態であり得る。
【００５１】
[0062]  ＵＥ１１５−ｂの複数のコンポーネントは、個別的または集合的に、ハードウェアにおいていくつかまたは全ての適用可能な機能を行うように適用された少なくとも１つの特定用途向け集積回路（ＡＳＩＣ）で、インプリメントされ得る。代替的に、複数の機能は、少なくとも１つのＩＣ上で、１つまたは複数の他の処理ユニット（またはコア）によって行われ得る。他の実施形態において、他のタイプの集積回路（たとえば、ストラクチャード／プラットフォーム（Structured/Platform）ＡＳＩＣ、フィールドプログラマブルゲートアレイ（ＦＰＧＡ）、または別のセミカスタムＩＣ（semi-custom IC）は、使用され得、それは、当該技術で知られる任意の方法でプログラムされ得る。各ユニットの複数の機能はまた、全体または一部において、１つまたは複数の汎用またはアプリケーション特有のプロセッサによって実行されるようにフォーマットされた、メモリにおいて具体化された命令でインプリメントされ得る。
【００５２】
[0063]  受信器４０５は、複数のパケット、ユーザデータ、または様々な情報チャネル（たとえば、ＨＦＮオフセットを用いてＵＥを同期することに関連づけられた情報、データチャネル、およびコントロールチャネル等）に関連付けられたコントロール情報のような情報を受信し得る。情報は、通信管理モジュール４１０およびＵＥ１１５−ｃの他の複数のコンポーネントに渡され（passed on to）得る。
【００５３】
[0064]  通信管理モジュール４１０は、たとえば、ＰＤＣＰレイヤにおいて、第１のワイヤレスデバイスにおいて、第２のワイヤレスデバイスからＲｏＨＣ初期化およびリフレッシュ（ＩＲ）パケットを受信し得、ＩＲパケットのサイズに基づいて、第１のワイヤレスデバイスのＲＬＣレイヤにおいてＩＲパケットを識別し得、およびＩＲパケットの識別に応答して、ハイパーフレーム番号オフセットを使用してＩＲパケットを解読し得る。
【００５４】
[0065]  送信器４１５は、ＵＥ１１５−ｃの他の複数のコンポーネントから受信した複数の信号を送信し得る。いくつかの実施形態において、送信器４１５は、トランシーバモジュールにおいて、受信器４０５と配置され（collocated with）得る。送信器４１５は、単一のアンテナ、または、それは、複数のアンテナを含み得る。
【００５５】
[0066]  図５は、本開示の様々な態様に従って、ＨＦＮオフセットを用いてＵＥを同期するためのＵＥ１１５−ｃのブロック図５００を示す。ＵＥ１１５−ｃは、図１〜４に関して、説明されたＵＥ１１５の複数の態様の例であり得る。ＵＥ１１５−ｃは、受信器４０５−ａ、通信管理モジュール４１０−ａ、または送信器４１５−ａを含み得る。ＵＥ１１５−ｃはまた、プロセッサを含み得る。これらのコンポーネントの各々は、互いに通信状態であり得る。通信管理モジュール４１０−ａはまた、ＩＲ受信モジュール５０５、パケット識別モジュール５１０、および復号モジュール５１５を含み得る。
【００５６】
[0067]  ＵＥ１１５−ｃの複数のコンポーネントは、個別的または集合的に、ハードウェアにおいていくつかまたは全ての適用可能な機能を行うように適用された少なくとも１つのＡＳＩＣでインプリメントされ得る。代替的に、複数の機能は、少なくとも１つのＩＣ上で、１つまたは複数の他の処理ユニット（またはコア）によって行われ得る。他の実施形態において、他のタイプの集積回路（たとえば、ストラクチャード／プラットフォームＡＳＩＣ、ＦＰＧＡ、または別のセミカスタムＩＣ）は、使用され得、それは、当該技術で知られる任意の方法でプログラムされ得る。各ユニットの複数の機能はまた、全体または一部において、１つまたは複数の汎用またはアプリケーション特有のプロセッサによって実行されるようにフォーマットされた、メモリにおいて具体化された命令でインプリメントされ得る。
【００５７】
[0068]  受信器４０５−ａは、通信管理モジュール４１０−ａ、およびＵＥ１１５−ｄの他の複数のコンポーネントに渡され得る情報を受信し得る。通信管理モジュール４１０−ａは、図４に関して上で説明された複数の動作を行い得る。送信器４１５−ａは、ＵＥ１１５−ｄの他の複数のコンポーネントから受信された信号を送信し得る。
【００５８】
[0069]  ＩＲ受信モジュール５０５は、図２〜３に関して上で説明されるように、第１のワイヤレスデバイスにおいて、第２のワイヤレスデバイスからＲｏＨＣ初期化およびリフレッシュ（ＩＲ）パケットを受信し得る。
【００５９】
[0070]  パケット識別モジュール５１０は、図２〜３に関して上で説明されるように、ＩＲパケットのサイズに基づいて、第１のワイヤレスデバイスのＲＬＣレイヤにおいてＩＲパケットを識別し得る。複数の態様において、パケット識別モジュール５１０は、別のレイヤにおいてＩＲパケットを識別し得る。いくつかの例において、サイズに基づいてＩＲパケットを識別することは、受信されたＩＲパケットが、圧縮されたＲｏＨＣパケットよりも大きい暗号化されたＰＤＵサイズを備えることを決定することを備える。
【００６０】
[0071]  復号モジュール５１５は、図２〜３に関して上で説明されるように、ＩＲパケットの識別に応答して、ハイパーフレーム番号オフセットを使用してＩＲパケットを解読し得る。
【００６１】
[0072]  図６は、本開示の様々な態様に従って、ＨＦＮオフセットを用いてＵＥを同期するための通信管理モジュール４１０−ｂのブロック図６００を示す。通信管理モジュール４１０−ｂは、図４〜５に関して、説明された通信管理モジュール４１０の複数の態様の例であり得る。通信管理モジュール４１０−ｂは、ＩＲ受信モジュール５０５−ａ、パケット識別モジュール５１０−ａ、および復号モジュール５１５−ａを含み得る。これらのモジュールの各々は、図５に関連して上記に説明された複数の機能を行い得る。通信管理モジュール４１０−ｂはまた、エラー検出モジュール６０５、ＨＦＮ適用モジュール６１０、同期モジュール６１５、閾値決定モジュール６２０、およびエラー報告生成モジュール６２５を含み得る。
【００６２】
[0073]  通信管理モジュール４１０−ｂの複数のコンポーネントは、個別的または集合的に、ハードウェアにおいていくつかまたは全ての適用可能な機能を行うように適用された少なくとも１つのＡＳＩＣでインプリメントされ得る。代替的に、複数の機能は、少なくとも１つのＩＣ上で、１つまたは複数の他の処理ユニット（またはコア）によって行われ得る。他の実施形態において、他のタイプの集積回路（たとえば、ストラクチャード／プラットフォームＡＳＩＣ、ＦＰＧＡ、または別のセミカスタムＩＣ）は、使用され得、それは、当該技術で知られる任意の方法でプログラムされ得る。各ユニットの複数の機能はまた、全体または一部において、１つまたは複数の汎用またはアプリケーション特有のプロセッサによって実行されるようにフォーマットされた、メモリにおいて具体化された命令でインプリメントされ得る。
【００６３】
[0074]  エラー検出モジュール６０５は、方法２〜３に関して上で説明されるように、解読されたＩＲパケットのＣＲＣ値に基づいて、ＩＲパケットが正確に解読されていることを決定し得る。エラー検出モジュール６０５はまた、ハイパーフレーム番号オフセットを使用してのＩＲパケットを正確に解読することの失敗を検出し得る。
【００６４】
[0075]  ＨＦＮ適用モジュール６１０は、方法２〜３に関して上で説明されるように、検出された失敗に基づいて、ハイパーフレーム番号オフセットの値をインクリメントし得る。追加的、または代替的に、ＨＦＮ適用モジュール６１０は、検出された失敗に基づいて、ハイパーフレーム番号オフセットの値をデクリメントし得る。
【００６５】
[0076]  同期モジュール６１５は、方法２〜３に関して上で説明されるように、ハイパーフレーム番号オフセットを使用してＩＲパケットを解読することにおける成功に基づいて、第１のワイヤレスデバイスを第２のワイヤレスデバイスと同期し得る。
【００６６】
[0077]  閾値決定モジュール６２０は、方法２〜３に関して上で説明されるように、第１のワイヤレスデバイスによって記憶された現在のハイパーフレーム番号を使用して圧縮されたＲｏＨＣパケットを解読することの閾値数の失敗（たとえば、連続する複数の失敗）を検出し得る。
【００６７】
[0078]  エラー報告生成モジュール６２５は、方法２〜３に関して上で説明されるように、第２のワイヤレスデバイスに連続する失敗の表示を送信し得る。いくつかの例において、第２のワイヤレスデバイスに送信される表示は、否定応答メッセージを備える。
【００６８】
[0079]  図７は、本開示の様々な態様に従って、ＨＦＮオフセットを用いてＵＥを同期するように構成されたＵＥ１１５を含むシステム７００の図を示す。システム７００は、ＵＥ１１５−ｄを含み得、それは、方法１〜６に関して上で説明されたＵＥ１１５の例であり得る。ＵＥ１１５−ｅは、通信管理モジュール７１０を含み得、それは、図４〜６に関して説明された通信管理モジュール４１０の例であり得る。ＵＥ１１５−ｄはまた、ＲＬＦモジュール７２５を含み得る。ＵＥ１１５−ｄはまた、通信を送信するためのコンポーネントおよび通信を受信するためのコンポーネントを含む双方向の音声およびデータ通信およびに関する複数のコンポーネントを含み得る。たとえば、ＵＥ１１５−ｄは、ＵＥ１１５−ｅまたは基地局１０５−ｃと双方向で（bi-directionally）通信し得る。
【００６９】
[0080]  ＲＬＦモジュール７２５は、図２〜３に関して上で説明されるように、検出された失敗に基づいて、ラジオリンクの失敗をトリガし得る。たとえば、ＲＬＦプロシージャは、再送信の最大数が、到達されたというＲＬＣ表示の際に、最大数の同期していないという表示を受信する際に、またはＲＡＣＨプロシージャの間の無線の失敗の際に、トリガされ得る。いくつかの事例（たとえば、同期していないという表示に関する限界に到達した後）では、ＲＬＦモジュール７２５は、タイマーを開始し得、閾値数の同期しているという表示（たとえば、１つまたは複数の）が受信されたかどうかを決定するために待ち得る。同期しているという表示の数が、タイマーの終了の前に閾値を超える場合、ＲＬＦモジュール７２５は、ＲＬＦプロシージャを中断し得る。さもなければ、ＲＬＦモジュール７２５は、ネットワークへのアクセスを取り戻すためにＲＡＣＨプロシージャを行い得る。ＲＡＣＨプロシージャは、セルラジオネットワークの一時的なアイデンティティ（Ｃ−ＲＮＴＩ）、セルの識別（ＩＤ）、セキュリティ検証情報、および再確立の原因を含むＲＲＣ接続再確立要求を送信することを含み得る。
【００７０】
[0081]  ＵＥ１１５−ｄはまた、プロセッサモジュール７０５、および（ソフトウェア（ＳＷ）７２０を含む）メモリ７１５、トランシーバモジュール７３５、および１つまたは複数のアンテナ（１つまたは複数）７４０を含み得、それらの各々は、直接的または間接的に（たとえば、複数のバス７４５を介して）共に（each other）通信し得る。トランシーバモジュール７３５は、上記に説明されるように、アンテナ（１つまたは複数）７４０または複数のワイヤードまたはワイヤレスリンクを介して、１つまたは複数のネットワークと双方向で通信し得る。たとえば、トランシーバモジュール７３５は、基地局１０５または別のＵＥ１１５と双方向で通信し得る。トランシーバモジュール７３５は、パケットを変調して、および送信のためのアンテナ（単数または複数）７４０に変調されたパケットを提供するための、および、アンテナ（単数または複数）７４０から受信されたパケットを復調するための、モデムを含み得る。ＵＥ１１５−ｄは、単一のアンテナ７４０を含み得る一方で、ＵＥ１１５−ｄはまた、複数のワイヤレス送信を一斉に（concurrently）送信することまたは受信することが可能である複数のアンテナ７４０を有し得る。
【００７１】
[0082]  メモリ７１５は、ランダムアクセスメモリ（ＲＡＭ）および読み取り専用メモリ（ＲＯＭ）を含み得る。メモリ７１５は、実行された場合、プロセッサモジュール７０５に、本明細書で説明された様々な機能（たとえば、ＨＦＮオフセットを用いてＵＥを同期すること等）を行わせる命令を含む、コンピュータ読み取り可能、コンピュータ実行可能ソフトウェア／ファームウェアコード７２０を記憶し得る。代替的に、ソフトウェア／ファームウェアコード７２０は、プロセッサモジュール７０５によって直接的に実行可能でない可能性があるが、コンピュータに、（たとえば、コンパイルされ（compiled）および実行されたとき）本明細書に説明された複数の機能を行わせ得る。プロセッサモジュール７０５は、（たとえば、中央処理ユニット（ＣＰＵ）、マイクロコントローラ、ＡＳＩＣ等）インテリジェントハードウェアデバイスを含み得る。
【００７２】
[0083]  図８は、本開示の様々な態様に従って、ＨＦＮオフセットを用いてＵＥを同期するための方法８００を例示するフローチャートを示す。方法８００の複数の動作は、図１〜７に関して説明されるように、ＵＥ１１５またはそれの複数のコンポーネントによってインプリメントされ得る。たとえば、図４〜７に関して説明されるように、方法８００の複数の動作は、通信管理モジュール４１０によって行われ得る。いくつかの例において、ＵＥ１１５は、以下に説明された複数の機能を行うために、ＵＥ１１５の複数の機能的なエレメントをコントロールするためのコードのセットを実行し得る。追加的、または代替的に、ＵＥ１１５は、特殊用途のハードウェアを使用して、以下に説明された複数の機能、複数の態様を行い得る。
【００７３】
[0084]  ブロック８０５において、図２〜３に関して上で説明されるように、ＵＥ１１５は、第１のワイヤレスデバイスにおいて、第２のワイヤレスデバイスからＲｏＨＣ初期化およびリフレッシュ（ＩＲ）パケットを受信し得る。ある特定の複数の例において、図５に関して上で説明されるように、ブロック８０５の複数の動作は、ＩＲ受信モジュール５０５によって行われ得る。
【００７４】
[0085]  ブロック８１０において、図２〜３に関して上で説明されるように、ＵＥ１１５は、ＩＲパケットのサイズに基づいて、第１のワイヤレスデバイスのＲＬＣレイヤにおいてＩＲパケットを識別し得る。複数の態様において、ＵＥ１１５は、別のレイヤにおいてＩＲパケットを識別し得る。ある特定の複数の例において、図５に関して上で説明されるように、ブロック８１０の複数の動作は、パケット識別モジュール５１０によって行われ得る。
【００７５】
[0086]  ブロック８１５において、図２〜３に関して上で説明されるように、ＵＥ１１５は、ＩＲパケットの識別に応答して、ハイパーフレーム番号オフセットを使用してＩＲパケットを解読し得る。ある特定の複数の例において、図５に関して上で説明されるように、ブロック８１５の複数の動作は、復号モジュール５１５によって行われ得る。
【００７６】
[0087]  図９は、本開示の様々な態様に従って、ＨＦＮオフセットを用いてＵＥを同期するための方法９００を例示するフローチャートを示す。方法９００の複数の動作は、図１〜７に関して説明されるように、ＵＥ１１５またはそれの複数のコンポーネントによってインプリメントされ得る。たとえば、方法４〜７に関して説明されるように、方法９００の複数の動作は、通信管理モジュール４１０によって行われ得る。いくつかの例において、ＵＥ１１５は、以下に説明された複数の機能を行うために、ＵＥ１１５の複数の機能的なエレメントをコントロールするためのコードのセットを実行し得る。追加的、または代替的に、ＵＥ１１５は、特殊用途のハードウェアを使用して、以下に説明された複数の機能、複数の態様を行い得る。方法９００はまた、図８の方法８００の複数の態様を組み込み得る。
【００７７】
[0088]  ブロック９０５において、方法２〜３に関して上で説明されるように、ＵＥ１１５は、第１のワイヤレスデバイスにおいて、第２のワイヤレスデバイスからＲｏＨＣ初期化およびリフレッシュ（ＩＲ）パケットを受信し得る。ある特定の複数の例において、図５に関して上で説明されるように、ブロック９０５の複数の動作は、ＩＲ受信モジュール５０５によって行われ得る。
【００７８】
[0089]  ブロック９１０において、方法２〜３に関して上で説明されるように、ＵＥ１１５は、ＩＲパケットのサイズに基づいて、第１のワイヤレスデバイスのＲＬＣレイヤにおいてＩＲパケットを識別し得る。複数の態様において、ＵＥ１１５は、別のレイヤにおいてＩＲパケットを識別し得る。ある特定の複数の例において、図５に関して上で説明されるように、ブロック９１０の複数の動作は、パケット識別モジュール５１０によって行われ得る。
【００７９】
[0090]  ブロック９１５において、方法２〜３に関して上で説明されるように、ＵＥ１１５は、ＩＲパケットの識別に応答して、ハイパーフレーム番号オフセットを使用してＩＲパケットを解読し得る。ある特定の複数の例において、図５に関して上で説明されるように、ブロック９１５の複数の動作は、復号モジュール５１５によって行われ得る。
【００８０】
[0091]  ブロック９２０において、方法２〜３に関して上で説明されるように、ＵＥ１１５は、解読されたＩＲパケットのＣＲＣ値に基づいて、ＩＲパケットが正確に解読されていることを決定し得る。ある特定の複数の例において、図６に関して上で説明されるように、ブロック９２０の複数の動作は、エラー検出モジュール６０５によって行われ得る。
【００８１】
[0092]  図１０は、本開示の様々な態様に従って、ＨＦＮオフセットを用いてＵＥを同期するための方法１０００を例示するフローチャートを示す。図１〜７に関して説明されるように、方法１０００の複数の動作は、ＵＥ１１５またはそれの複数のコンポーネントによってインプリメントされ得る。たとえば、図４〜７に関して説明されるように、方法１０００の複数の動作は、通信管理モジュール４１０によって行われ得る。いくつかの例において、ＵＥ１１５は、以下に説明された複数の機能を行うために、ＵＥ１１５の複数の機能的なエレメントをコントロールするためのコードのセットを実行し得る。追加的、または代替的に、ＵＥ１１５は、特殊用途のハードウェアを使用して、以下に説明された複数の機能、複数の態様を行い得る。方法１０００はまた、図８〜９の方法８００及び９００の態様を組み込み得る。
【００８２】
[0093]  ブロック１００５において、図２〜３に関して上で説明されるように、ＵＥ１１５は、第１のワイヤレスデバイスにおいて、第２のワイヤレスデバイスからＲｏＨＣ初期化およびリフレッシュ（ＩＲ）パケットを受信し得る。ある特定の複数の例において、図５に関して上で説明されるように、ブロック１００５の複数の動作は、ＩＲ受信モジュール５０５によって行われ得る。
【００８３】
[0094]  ブロック１０１０において、図２〜３に関して上で説明されるように、ＵＥ１１５は、ＩＲパケットのサイズに基づいて、第１のワイヤレスデバイスのＲＬＣレイヤにおいてＩＲパケットを識別し得る。複数の態様において、ＵＥ１１５は、別のレイヤにおいてＩＲパケットを識別し得る。ある特定の複数の例において、図５に関して上で説明されるように、ブロック１０１０の複数の動作は、パケット識別モジュール５１０によって行われ得る。
【００８４】
[0095]  ブロック１０１５において、図２〜３に関して上で説明されるように、ＵＥ１１５は、ＩＲパケットの識別に応答して、ハイパーフレーム番号オフセットを使用してＩＲパケットを解読し得る。ある特定の複数の例において、図５に関して上で説明されるように、ブロック１０１５の複数の動作は、復号モジュール５１５によって行われ得る。
【００８５】
[0096]  ブロック１０２０において、図２〜３に関して上で説明されるように、ＵＥ１１５は、ハイパーフレーム番号オフセットを使用してのＩＲパケットを正確に解読することの失敗を検出し得る。ある特定の複数の例において、図６に関して上で説明されるように、ブロック１０２０の複数の動作は、エラー検出モジュール６０５によって行われ得る。
【００８６】
[0097]  ブロック１０２５において、図２〜３に関して上で説明されるように、ＵＥ１１５は、検出された失敗に基づいて、ハイパーフレーム番号オフセットの値をインクリメントまたはデクリメントすることのうちの少なくとも１つを行い得る。ある特定の複数の例において、ブロック１０２５の複数の動作は、図６に関して上で説明されるように、ＨＦＮ適用モジュール６１０によって行われ得る。
【００８７】
[0098]  図１１は、本開示の様々な態様に従って、ＨＦＮオフセットを用いてＵＥを同期するための方法１１００を例示するフローチャートを示す。方法１１００の複数の動作は、図１〜７に関して説明されるように、ＵＥ１１５またはそれの複数のコンポーネントによってインプリメントされ得る。たとえば、方法１１００の複数の動作は、図４〜７に関して説明されるように、通信管理モジュール４１０によって行われ得る。いくつかの例において、ＵＥ１１５は、以下に説明された複数の機能を行うために、ＵＥ１１５の複数の機能的なエレメントをコントロールするためのコードのセットを実行し得る。追加的、または代替的に、ＵＥ１１５は、特殊用途のハードウェアを使用して、以下に説明された複数の機能、複数の態様を行い得る。方法１１００はまた、図８〜１０の方法８００、９００、および１０００の態様を組み込み得る。
【００８８】
[0099]  ブロック１１０５において、図２〜３に関して上で説明されるように、ＵＥ１１５は、第１のワイヤレスデバイスにおいて、第２のワイヤレスデバイスからＲｏＨＣ初期化およびリフレッシュ（ＩＲ）パケットを受信し得る。複数の態様において、ＵＥ１１５は、別のレイヤにおいてＩＲパケットを識別し得る。ある特定の複数の例において、図５に関して上で説明されるように、ブロック１１０５の複数の動作は、ＩＲ受信モジュール５０５によって行われ得る。
【００８９】
[0100]  ブロック１１１０において、方法２〜３に関して上で説明されるように、ＵＥ１１５は、ＩＲパケットのサイズに基づいて、第１のワイヤレスデバイスのＲＬＣレイヤにおいてＩＲパケットを識別し得る。ある特定の複数の例において、図５に関して上で説明されるように、ブロック１１１０の複数の動作は、パケット識別モジュール５１０によって行われ得る。
【００９０】
[0101]  ブロック１１１５において、ＵＥ１１５は、図２〜３に関して上で説明されるように、ＩＲパケットの識別に応答して、ハイパーフレーム番号オフセットを使用してＩＲパケットを解読し得る。ある特定の複数の例において、図５に関して上で説明されるように、ブロック１１１５の複数の動作は、復号モジュール５１５によって行われ得る。
【００９１】
[0102]  ブロック１１２０において、図２〜３に関して上で説明されるように、ＵＥ１１５は、ハイパーフレーム番号オフセットを使用してＩＲパケットを解読することにおける成功に基づいて、第１のワイヤレスデバイスを第２のワイヤレスデバイスと同期し得る。ある特定の複数の例において、図６に関して上で説明されるように、ブロック１１２０の複数の動作は、同期モジュール６１５によって行われ得る。
【００９２】
[0103]  図１２は、本開示の様々な態様に従って、ＨＦＮオフセットを用いてＵＥを同期するための方法１２００を例示するフローチャートを示す。方法１２００の複数の動作は、図１〜７に関して説明されるように、ＵＥ１１５またはそれの複数のコンポーネントによってインプリメントされ得る。たとえば、方法１２００の複数の動作は、図４〜７に関して説明されるように、通信管理モジュール４１０によって行われ得る。いくつかの例において、ＵＥ１１５は、以下に説明された複数の機能を行うために、ＵＥ１１５の複数の機能的なエレメントをコントロールするためのコードのセットを実行し得る。追加的、または代替的に、ＵＥ１１５は、特殊用途のハードウェアを使用して以下に説明された複数の機能、複数の態様を行い得る。方法１２００はまた、図８〜１１の方法８００、９００、１０００、および１１００の態様を組み込み得る。
【００９３】
[0104]  ブロック１２０５において、図２〜３に関して上で説明されるように、ＵＥ１１５は、第１のワイヤレスデバイスによって記憶された現在のハイパーフレーム番号を使用して圧縮されたＲｏＨＣパケットを解読することの閾値数の連続する失敗を検出し得る。ある特定の複数の例において、図６に関して上で説明されるように、ブロック１２０５の複数の動作は、閾値決定モジュール６２０によって行われ得る。
【００９４】
[0105]  ブロック１２１０において、図２〜３に関して上で説明されるように、ＵＥ１１５は、第２のワイヤレスデバイスに連続する失敗の表示を送信し得る。ある特定の複数の例において、図６に関して上で説明されるように、ブロック１２１０の複数の動作は、エラー報告生成モジュール６２５によって行われ得る。
【００９５】
[0106]  ブロック１２１５において、方法２〜３に関して上で説明されるように、ＵＥ１１５は、第１のワイヤレスデバイスにおいて、第２のワイヤレスデバイスからＲｏＨＣ初期化およびリフレッシュ（ＩＲ）パケットを受信し得る。ある特定の複数の例において、図５に関して上で説明されるように、ブロック１２１５の複数の動作は、ＩＲ受信モジュール５０５によって行われ得る。
【００９６】
[0107]  ブロック１２２０において、方法２〜３に関して上で説明されるように、ＵＥ１１５は、ＩＲパケットのサイズに基づいて、第１のワイヤレスデバイスのＲＬＣレイヤにおいてＩＲパケットを識別し得る。複数の態様において、ＵＥ１１５は、別のレイヤにおいてＩＲパケットを識別し得る。ある特定の複数の例において、図５に関して上で説明されるように、ブロック１２２０の複数の動作は、パケット識別モジュール５１０によって行われ得る。
【００９７】
[0108]  ブロック１２２５において、ＵＥ１１５は、図２〜３に関して上で説明されるように、ＩＲパケットの識別に応答して、ハイパーフレーム番号オフセットを使用してＩＲパケットを解読し得る。ある特定の複数の例において、図５に関して上で説明されるように、ブロック１２２５の複数の動作は、復号モジュール５１５によって行われ得る。
【００９８】
[0109]  従って、方法８００、９００、１０００、１１００、および１２００は、ＨＦＮオフセットを用いてＵＥを同期することを提供し得る。方法８００、９００、１０００、１１００、および１２００は、可能性のあるインプリメンテーションを説明し、複数の動作およびステップは、再配置（rearranged）され得ること、またはさもなければ、他の複数のインプリメンテーションが可能であるように修正され得ることを留意されたい。いくつかの例において、方法８００、９００、１０００、１１００、および１２００のうちの２つ以上からの複数の態様が組み合わされ得る。
【００９９】
[0110]  添付の図面に関して上述された詳細な説明は、例示的な実施形態を説明しており、インプリメントされ得る、または特許請求の範囲内にある全ての実施形態を表すものではない。本文書にわたって使用される用語「例示的（exemplary）」は、「好ましい」あるいは「その他の実施形態よりも有利である」ということではなく、「例、実例、あるいは例示として役立つこと」を意味する。詳細な説明は、説明された複数の技法の理解を提供する目的として特定の詳細を含む。これらの技法は、しかしながら、これらの特定の詳細なしに実施され得る。いくつかの事例では、周知の構造およびデバイスは、説明された複数の実施形態の概念を暖味にすることを避けるためにブロック図の形態で示されている。
【０１００】
[0111]  情報および信号は、様々な異なる複数の技術および技法のうちの任意のものを使用して表わされ得る。たとえば、上記説明の全体を通して参照され得るデータ、命令、コマンド、情報、信号、ビット、シンボル、およびチップは、電圧、電流、電磁波、磁場または磁性粒子、光場または光粒子、あるいはこれらの任意の組み合わせによって表わされ得る。
【０１０１】
[0112]  本明細書での開示に関連して説明された様々な例示的なブロックおよびモジュールは、汎用プロセッサ、デジタルシグナルプロセッサ（ＤＳＰ）、ＡＳＩＣ、ＦＰＧＡまたは他のプログラマブル論理デバイス、離散ゲートまたはトランジスタ論理、離散ハードウェアコンポーネント、あるいは本明細書で説明された複数の機能を行うように設計されたそれらの任意の組み合わせを用いて、インプリメントまたは行われ得る。汎用プロセッサは、マイクロプロセッサであり得るが、代替において、プロセッサは、任意の従来のプロセッサ、コントローラ、マイクロコントローラ、またはステートマシンであり得る。プロセッサはまた、計算デバイスの組み合わせ（たとえば、ＤＳＰおよびマイクロプロセッサの組み合わせ、複数のマイクロプロセッサ、ＤＳＰコアと連携した１つまたは複数のマイクロプロセッサ、あるいは任意の他のそのような構成としてインプリメントされ得る。
【０１０２】
[0113]  本明細書で説明された複数の機能は、ハードウェア、プロセッサによって実行されるソフトウェア、ファームウェア、またはそれらの任意の組み合わせによってインプリメントされ得る。プロセッサによって実行されるソフトウェアでインプリメントされる場合には、それら複数の機能は、コンピュータ読み取り可能媒体上の１つまたは複数の命令またはコードとして、記憶され得、またはそれを介して送信され得る。他の複数の例およびインプリメンテーションは、本開示および添付の特許請求の範囲内にある。たとえば、ソフトウェアの特質に起因して、上記に説明された機能は、プロセッサによって実行されるソフトウェア、ハードウェア、ファームウェア、ハードワイヤリング、またはこれらのいずれの組み合わせを使用してインプリメントされることができる。複数の機能をインプリメントする複数の特徴はまた、複数の機能の複数の部分が、異なる複数の物理的ロケーションにおいてインプリメントされるように分散されることを含めて、様々な場所に物理的に位置し得る。また、請求項を含む本明細書で使用される場合、項目のリスト（たとえば、「のうちの少なくとも１つ」または「のうちの１つまたは複数」のようなフレーズで始まる項目のリスト）において使用されるような「または（or）」は、たとえば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような包括的なリスト（inclusive list）を示す。
【０１０３】
[0114]  コンピュータ読み取り可能媒体は、ある場所から別の場所へのコンピュータプログラムの転送を容易にする任意の媒体を含む通信媒体とコンピュータ記憶媒体との両方を含む。記憶媒体は、汎用または特殊用途のコンピュータによってアクセスされることができる任意の利用可能な媒体であり得る。限定ではなく例として、コンピュータ読み取り可能媒体は、ＲＡＭ、ＲＯＭ、電気的消去可能プログラマブルＲＯＭ（ＥＥＰＲＯＭ（登録商標））、コンパクトディスク（ＣＤ）ＲＯＭまたはその他の光ディスク記憶装置、磁気ディスク記憶装置またはその他の磁気記憶デバイス、あるいは、データ構造または命令の形式で所望のプログラムコード手段を搬送または記憶するために使用されることができ、かつ汎用または特殊用途のコンピュータまたは汎用または特殊用途のプロセッサによってアクセスされることができるその他任意の媒体を備えることができる。また、任意の接続は、厳密にはコンピュータ読み取り可能媒体と称され得る。たとえば、ソフトウェアが、同軸ケーブル、光ファイバーケーブル、ツイストペア、デジタル加入者回線（「ＤＳＬ」）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、ＣＤ（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、一方でディスク（disc）は、レーザーを用いて光学的にデータを再生する。上記の組み合わせもまた、コンピュータ読み取り可能媒体の範囲内に含まれ得る。
【０１０４】
[0115]  本開示の先の説明は、当業者が本開示を製造または使用することを可能にするために提供される。本開示への様々な修正は、当業者にとって容易に明らかであり、ここに定義された一般的な原理は、本開示の範囲から逸脱することなく、他の変形形態に適用され得る。従って、本開示は、本明細書に説明された例および設計に限定されるべきではなく、ここに開示された原理および新規な特徴と一致する最も広い範囲を与えられるべきである。
【０１０５】
[0116]  本明細書において説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような、様々なワイヤレス通信システムに使用され得る。「システム」および「ネットワーク」という用語は、しばしば、交換可能に使用される。ＣＤＭＡシステムは、ＣＤＭＡ２０００、ユニバーサル地上無線アクセス（ＵＴＲＡ）等のような無線テクノロジーをインプリメントし得る。ＣＤＭＡ２０００は、ＩＳ−２０００、ＩＳ−９５、ＩＳ−８５６規格をカバーする。ＩＳ−２０００リリース０およびＡは、通常、ＣＤＭＡ２０００１Ｘ、１Ｘ等と呼ばれる。ＩＳ−８５６（ＴＩＡ−８５６）は、通常、ＣＤＭＡ２０００１ｘＥＶ−ＤＯ、高速パケットデータ（ＨＲＰＤ）等と呼ばれる。ＵＴＲＡは、広帯域ＣＤＭＡ（ＷＣＤＭＡ（登録商標））およびＣＤＭＡの他の変形を含む。ＴＤＭＡシステムは、移動体通信のためのグローバルシステム（ＧＳＭ（登録商標）：Global System for Mobile Communications）のような無線技術をインプリメントし得る。ＯＦＤＭＡシステムは、ウルトラモバイルブロードバンド（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭａｘ）、ＩＥＥＥ８０２．２０、Ｆｌａｓｈ−ＯＦＤＭ等のような無線技術をインプリメントし得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ＵＭＴＳ、ＬＴＥ、ＬＴＥ−Ａ、および移動体通信のためのグローバルシステム（ＧＳＭ）は、「第３世代パートナーシッププロジェクト」（３ＧＰＰ）という名称の団体からの文書に説明されている。ＣＤＭＡ２０００およびＵＭＢは、「第３世代パートナーシッププロジェクト２」（３ＧＰＰ２）という名称の団体からの文書に説明されている。本明細書で説明される複数の技法は、上述されたシステムおよび無線技術にも、他のシステムおよび無線技術にも、使用され得る。上記の説明は、しかしながら、例の目的でＬＴＥのシステムを説明しており、ＬＴＥという専門用語が上記の説明の大部分において使用されているが、それらの技法はＬＴＥアプリケーションを超えて適用可能である。
以下に本願の出願当初の特許請求の範囲に記載された発明を付記する。
[Ｃ１]  ユーザ機器（ＵＥ）におけるワイヤレス通信のための方法であって、
第１のワイヤレスデバイスにおいて、第２のワイヤレスデバイスからロバストなヘッダ圧縮（ＲｏＨＣ）初期化およびリフレッシュ（ＩＲ）パケットを受信すること、
前記ＩＲパケットのサイズに基づいて、前記第１のワイヤレスデバイスのラジオリンクコントロール（ＲＬＣ）レイヤにおいて前記ＩＲパケットを識別すること、および
前記ＩＲパケットの前記識別に応答して、ハイパーフレーム番号オフセットを使用して前記ＩＲパケットを解読すること
を備える、方法。
[Ｃ２]  前記サイズに基づいて前記ＩＲパケットを識別することは、
前記受信されたＩＲパケットが、圧縮されたＲｏＨＣパケットよりも大きい暗号化されたプロトコルデータユニット（ＰＤＵ）サイズを備えることを決定すること
を備える、Ｃ１に記載の方法。
[Ｃ３]  前記ＩＲパケットが、前記解読されたＩＲパケットのサイクリック・リダンダンシー・チェック（ＣＲＣ）値に基づいて、正確に解読されていることを決定すること
をさらに備える、Ｃ１に記載の方法。
[Ｃ４]  前記ハイパーフレーム番号オフセットを使用しての前記ＩＲパケットを正確に解読することの失敗を検出すること
をさらに備える、Ｃ１に記載の方法。
[Ｃ５]  前記検出された失敗に基づいて、前記ハイパーフレーム番号オフセットの値をインクリメントすること
をさらに備える、Ｃ４に記載の方法。
[Ｃ６]  前記検出された失敗に基づいて、前記ハイパーフレーム番号オフセットの値をデクリメントすること
をさらに備える、Ｃ４に記載の方法。
[Ｃ７]  前記検出された失敗に基づいて、ラジオリンクの失敗をトリガすること
をさらに備える、Ｃ４に記載の方法。
[Ｃ８]  前記ハイパーフレーム番号オフセットを使用して前記ＩＲパケットを解読することにおける成功に基づいて、前記第１のワイヤレスデバイスを前記第２のワイヤレスデバイスと同期すること
をさらに備える、Ｃ１に記載の方法。
[Ｃ９]  前記第１のワイヤレスデバイスによって記憶された現在のハイパーフレーム番号を使用して圧縮されたＲｏＨＣパケットを解読することの閾値数の連続する失敗を検出すること
をさらに備える、Ｃ１に記載の方法。
[Ｃ１０]  前記第２のワイヤレスデバイスに前記連続する失敗の表示を送信すること
をさらに備える、Ｃ９に記載の方法。
[Ｃ１１]  前記第２のワイヤレスデバイスに送信される前記表示は、否定応答メッセージを備える、Ｃ１０に記載の方法。
[Ｃ１２]  ユーザ機器（ＵＥ）におけるワイヤレス通信のための装置であって、
第１のワイヤレスデバイスにおいて、第２のワイヤレスデバイスからロバストなヘッダ圧縮（ＲｏＨＣ）初期化およびリフレッシュ（ＩＲ）パケットを受信するための手段、
前記ＩＲパケットのサイズに基づいて、前記第１のワイヤレスデバイスのラジオリンクコントロール（ＲＬＣ）レイヤにおいて前記ＩＲパケットを識別するための手段、および
前記ＩＲパケットの前記識別に応答して、ハイパーフレーム番号オフセットを使用して前記ＩＲパケットを解読するための手段
を備える、装置。
[Ｃ１３]  ユーザ機器（ＵＥ）におけるワイヤレス通信のための装置であって、
プロセッサ、
前記プロセッサと電子通信状態にあるメモリ、および
前記メモリに記憶された命令
を備え、ここにおいて、前記命令は、前記プロセッサによって、
第１のワイヤレスデバイスにおいて、第２のワイヤレスデバイスからロバストなヘッダ圧縮（ＲｏＨＣ）初期化およびリフレッシュ（ＩＲ）パケットを受信すること、
前記ＩＲパケットのサイズに基づいて、前記第１のワイヤレスデバイスのラジオリンクコントロール（ＲＬＣ）レイヤにおいて前記ＩＲパケットを識別すること、および
前記ＩＲパケットの前記識別に応答して、ハイパーフレーム番号オフセットを使用して前記ＩＲパケットを解読すること
が実行可能である、
装置。
[Ｃ１４]  前記サイズに基づいて前記ＩＲパケットを識別することは、
前記受信されたＩＲパケットが、圧縮されたＲｏＨＣパケットよりも大きい暗号化されたプロトコルデータユニット（ＰＤＵ）サイズを備えることを決定すること
を備える、Ｃ１３に記載の装置。
[Ｃ１５]  前記命令は、前記プロセッサによって、
前記ＩＲパケットが、前記解読されたＩＲパケットのサイクリック・リダンダンシー・チェック（ＣＲＣ）値に基づいて、正確に解読されていることを決定すること
がさらに実行可能である、Ｃ１３に記載の装置。
[Ｃ１６]  前記命令は、前記プロセッサによって、
前記ハイパーフレーム番号オフセットを使用しての前記ＩＲパケットを正確に解読することの失敗を検出すること
がさらに実行可能である、Ｃ１３に記載の装置。
[Ｃ１７]  前記命令は、前記プロセッサによって、
前記検出された失敗に基づいて、前記ハイパーフレーム番号オフセットの値をインクリメントすること
がさらに実行可能である、Ｃ１６に記載の装置。
[Ｃ１８]  前記命令は、前記プロセッサによって、
前記検出された失敗に基づいて、前記ハイパーフレーム番号オフセットの値をデクリメントすること
がさらに実行可能である、Ｃ１６に記載の装置。
[Ｃ１９]  前記命令は、前記プロセッサによって、
前記検出された失敗に基づいて、ラジオリンクの失敗をトリガすること
がさらに実行可能である、Ｃ１６に記載の装置。
[Ｃ２０]  前記命令は、前記プロセッサによって、
前記ハイパーフレーム番号オフセットを使用して前記ＩＲパケットを解読することにおける成功に基づいて、前記第１のワイヤレスデバイスを前記第２のワイヤレスデバイスと同期すること
がさらに実行可能である、Ｃ１３に記載の装置。
[Ｃ２１]  前記命令は、前記プロセッサによって、
前記第１のワイヤレスデバイスによって記憶された現在のハイパーフレーム番号を使用して圧縮されたＲｏＨＣパケットを解読することの閾値数の連続する失敗を検出すること
がさらに実行可能である、Ｃ１３に記載の装置。
[Ｃ２２]  前記命令は、前記プロセッサによって、
前記第２のワイヤレスデバイスに前記連続する失敗の表示を送信すること
がさらに実行可能である、Ｃ２１に記載の装置。
[Ｃ２３]  前記第２のワイヤレスデバイスに送信される前記表示は、否定応答メッセージを備える、Ｃ２２に記載の装置。
[Ｃ２４]  ユーザ機器（ＵＥ）におけるワイヤレス通信のためのコードを記憶する非一時的コンピュータ読み取り可能媒体であって、前記コードは、
第１のワイヤレスデバイスにおいて、第２のワイヤレスデバイスからロバストなヘッダ圧縮（ＲｏＨＣ）初期化およびリフレッシュ（ＩＲ）パケットを受信すること、
前記ＩＲパケットのサイズに基づいて、前記第１のワイヤレスデバイスのラジオリンクコントロール（ＲＬＣ）レイヤにおいて前記ＩＲパケットを識別すること、および
前記ＩＲパケットの前記識別に応答して、ハイパーフレーム番号オフセットを使用して前記ＩＲパケットを解読すること
が実行可能である命令を備える、非一時的コンピュータ読み取り可能媒体。
[Ｃ２５]  前記サイズに基づいて前記ＩＲパケットを識別することは、
前記受信されたＩＲパケットが、圧縮されたＲｏＨＣパケットよりも大きい暗号化されたプロトコルデータユニット（ＰＤＵ）サイズを備えることを決定すること
を備える、Ｃ２４に記載の非一時的コンピュータ読み取り可能媒体。
[Ｃ２６]  前記命令は、
前記ＩＲパケットが、前記解読されたＩＲパケットのサイクリック・リダンダンシー・チェック（ＣＲＣ）値に基づいて、正確に解読されていることを決定すること
がさらに実行可能である、Ｃ２４に記載の非一時的コンピュータ読み取り可能媒体。
[Ｃ２７]  前記命令は、
前記ハイパーフレーム番号オフセットを使用しての前記ＩＲパケットを正確に解読することの失敗を検出すること
がさらに実行可能である、Ｃ２４に記載の非一時的コンピュータ読み取り可能媒体。
[Ｃ２８]  前記命令は、
前記検出された失敗に基づいて、前記ハイパーフレーム番号オフセットの値をインクリメントすること
がさらに実行可能である、Ｃ２７に記載の非一時的コンピュータ読み取り可能媒体。
[Ｃ２９]  前記命令は、
前記検出された失敗に基づいて、前記ハイパーフレーム番号オフセットの値をデクリメントすること
がさらに実行可能である、Ｃ２７に記載の非一時的コンピュータ読み取り可能媒体。
[Ｃ３０]  前記命令は、
前記検出された失敗に基づいて、ラジオリンクの失敗をトリガすること
がさらに実行可能である、Ｃ２７に記載の非一時的コンピュータ読み取り可能媒体。
【図１】
0006776235.tif 000002
【図２】
0006776235.tif 000003
【図３】
0006776235.tif 000004
【図４】
0006776235.tif 000005
【図５】
0006776235.tif 000006
【図６】
0006776235.tif 000007
【図７】
0006776235.tif 000008
【図８】
0006776235.tif 000009
【図９】
0006776235.tif 000010
【図１０】
0006776235.tif 000011
【図１１】
0006776235.tif 000012
【図１２】
0006776235.tif 000013